(57)【特許請求の範囲】
【請求項１】
相互間に交流電圧が印加される第１及び第２の入力線（ＡＣＬ１，ＡＣＬ２）と、
第１及び第２の出力線（ＤＣＬ１，ＤＣＬ２）と、
アノードが前記第１の入力線（ＡＣＬ１）と、カソードが前記第１の出力線（ＤＣＬ１）とそれぞれ接続された第１ダイオード（Ｄ１）と、
カソードが前記第１の入力線と、アノードが前記第２の出力線（ＤＣＬ２）とそれぞれ接続された第２ダイオード（Ｄ２）と、
一端が前記第１の出力線と、他端が前記第２の入力線（ＡＣＬ２）とそれぞれ接続された第１のコンデンサ（Ｃ２）と、
一端が前記第２の入力線と、他端が前記第２の出力線とそれぞれ接続された第２のコンデンサ（Ｃ３）と
を備えるコンバータ（１０）に用いられるコンバータ用放電回路（１）であって、
前記第１の入力線と、前記第２の出力線との間で接続される第３のコンデンサ（Ｃ１）と、
前記第１の出力線と、前記第２の出力線との間で接続される放電抵抗（Ｒ４）と、
前記第１の出力線と、前記第２の出力線との間で前記放電抵抗と直列に接続されるスイッチ素子（ＳＷ１）と、
前記第３のコンデンサの両端電圧が所定値を下回ったことを以って、前記スイッチ素子を導通させるスイッチ制御回路（１１）と
を備える、コンバータ用放電回路。
【請求項２】
前記第２の入力線（ＡＣＬ２）上、又は前記第１の入力線（ＡＣＬ１）上のうち前記第３のコンデンサ（Ｃ１）に対して前記コンバータ（１０）とは反対側に設けられ、前記第１及び前記第２の入力線の間に印加される前記交流電圧の供給が停止したときに非導通となる第２スイッチ素子（ＳＷ３）
を更に備える、請求項１に記載のコンバータ用放電回路。
【請求項３】
前記第２スイッチ素子（ＳＷ３）は信号を受けている間のみ導通し、
前記第１及び前記第２の出力線（ＤＣＬ１，ＤＣＬ２）の間の電圧が、動作電圧として供給されて前記信号を前記第２スイッチ素子へと出力し、前記第１及び前記第２の出力線の間の電圧が、制御回路動作電圧を下回ると動作を停止する制御回路（２）
を更に備える、請求項２に記載のコンバータ用放電回路。
【発明の詳細な説明】
【技術分野】
【０００１】
本発明は、コンバータ用放電回路に関し、特に倍電圧整流回路を有するコンバータに用いられるコンバータ用放電回路に関する。
【背景技術】
【０００２】
特許文献１には、整流回路と平滑コンデンサからなる整流・平滑回路（コンバータ）に用いられる放電回路が記載されている。整流・平滑回路は、交流電源から供給される交流電圧を直流電圧に変換して出力する。放電回路は、整流・平滑回路の入力線の一つと、整流・平滑回路の出力線の一つとの間に接続されたコンデンサと、平滑コンデンサに蓄えられる電圧を放電する放電抵抗と、放電抵抗と直列に接続されたスイッチ素子とを備えている。当該コンデンサは、当該入力線一つから当該出力線の一つへと電流が供給されて、充電される。
【０００３】
そして、交流電源から整流・平滑回路へと電源供給が遮断された場合に、当該コンデンサが放電する。放電回路は、当該コンデンサの両端電圧が所定値を下回ったことを以って、スイッチ素子を導通させて、放電抵抗を介して平滑コンデンサを放電させている。
【０００４】
なお、本発明に関する技術として、特許文献２，３が開示されている。
【０００５】
【特許文献１】特開２００２−２６２５７３号公報
【特許文献２】特開２００４−３３６９７２号公報
【特許文献３】特開２００５−１１７８１３号公報
【発明の開示】
【発明が解決しようとする課題】
【０００６】
しかしながら、２つの平滑コンデンサを有する倍電圧整流回路から成るコンバータに、特許文献１に記載の放電回路を組み合わせた場合、電源供給が遮断されたときに、平滑コンデンサからコンデンサへと電流が流れ、当該コンデンサの放電を阻害する場合があった。
【０００７】
そこで、電源供給が遮断されたときに速やかに平滑コンデンサを放電できる放電回路を提供することを目的とする。
【課題を解決するための手段】
【０００８】
本発明に係るコンバータ用放電回路の第１の態様は、相互間に交流電圧が印加される第１及び第２の入力線（ＡＣＬ１，ＡＣＬ２）と、第１及び第２の出力線（ＤＣＬ１，ＤＣＬ２）と、アノードが前記第１の入力線（ＡＣＬ１）と、カソードが前記第１の出力線（ＤＣＬ１）とそれぞれ接続された第１ダイオード（Ｄ１）と、カソードが前記第１の入力線と、アノードが前記第２の出力線（ＤＣＬ２）とそれぞれ接続された第２ダイオード（Ｄ２）と、一端が前記第１の出力線と、他端が前記第２の入力線（ＡＣＬ２）とそれぞれ接続された第１のコンデンサ（Ｃ２）と、一端が前記第２の入力線と、他端が前記第２の出力線とそれぞれ接続された第２のコンデンサ（Ｃ３）とを備えるコンバータ（１０）に用いられるコンバータ用放電回路（１）であって、前記第１の入力線と、前記第２の出力線との間で接続される第３のコンデンサ（Ｃ１）と、前記第１の出力線と、前記第２の出力線との間で接続される放電抵抗（Ｒ４）と、前記第１の出力線と、前記第２の出力線との間で前記放電抵抗と直列に接続されるスイッチ素子（ＳＷ１）と、前記第３のコンデンサの両端電圧が所定値を下回ったことを以って、前記スイッチ素子を導通させるスイッチ制御回路（１１）とを備える。
【０００９】
本発明に係るコンバータ用放電回路の第２の態様は、第１の態様に係るコンバータ用放電回路であって、前記第２の入力線（ＡＣＬ２）上、又は前記第１の入力線（ＡＣＬ１）上のうち前記第３のコンデンサ（Ｃ１）に対して前記コンバータ（１０）とは反対側に設けられ、前記第１及び前記第２の入力線の間に印加される前記交流電圧の供給が停止したときに非導通となる第２スイッチ素子（ＳＷ３）を更に備える。
【００１０】
本発明に係るコンバータ用放電回路の第３の態様は、第２の態様に係るコンバータ用放電回路であって、前記第２スイッチ素子（ＳＷ３）は信号を受けている間のみ導通し、前記第１及び前記第２の出力線（ＤＣＬ１，ＤＣＬ２）の間の電圧が、動作電圧として供給されて前記信号を前記第２スイッチ素子へと出力し、前記第１及び前記第２の出力線の間の電圧が、制御回路動作電圧を下回ると動作を停止する制御回路（２）を更に備える。
【発明の効果】
【００１１】
本発明に係るコンバータ用放電回路の第１の態様では、第３のコンデンサと第１のコンデンサとの間には、第１のダイオードが接続されている。より具体的には、第１のダイオードのアノードが第３のコンデンサと、カソードが第１のコンデンサとそれぞれ接続されている。よって、第１及び第２の入力端が開放されて第１および第２の入力端の間に印加される交流電圧が停止された場合、第１のコンデンサから第３のコンデンサへと電流が流れることを防止でき、より速やかに第３のコンデンサの両端電圧を低下させることができる。よって、交流電圧の停止後に速やかにスイッチ素子を導通させることができ、以って速やかに第１及び第２のコンデンサに充電された電荷を放電抵抗へと放電できる。
【００１２】
本発明に係るコンバータ用放電回路の第２の態様によれば、第１及び第２の入力線に、トランスを有する絶縁電源を接続した場合、交流電源の供給が停止した際に、第２のコンデンサから、トランスを介して第３のコンデンサへ電流が流れることを防止できる。交流電圧の供給が停止した状態で非導通である第２スイッチ素子が、第２のコンデンサと第３のコンデンサとの間に介在するからである。
【００１３】
本発明に係るコンバータ用放電回路の第３の態様によれば、第１及び第２の入力線に、トランスを有する絶縁電源を接続した場合、例えば停電やブレーカ断など、制御回路が認識しない異常によって交流電源の供給が遮断された際に、第２のコンデンサは、第２の入力線、トランス、第１の入力線、第２スイッチ素子を介して第３のコンデンサに接続されているが、制御回路により、第１及び第２の出力線の間の電圧を低下させることができる。よって、第１及び第２のコンデンサの放電時間を短縮できる。
【００１４】
そして、制御回路動作電圧を下回ると、制御回路は動作を停止（つまり第２スイッチ素子へ与える信号を停止）する。制御回路の動作停止によって第２スイッチ素子が非導通となり、第２のコンデンサから第３のコンデンサへと電流が流れることを防止できる。よって、第２スイッチ素子が非導通となった以降の第３のコンデンサの両端電圧を速やかに低下させることができる。そして、当該両端電圧が所定値を下回るとスイッチ素子が導通し、以って第１及び第２のコンデンサに蓄えられた電圧を放電させることができる。以上のように、検知しない異常によって交流電源の供給が遮断された場合であっても、速やかに第１及び第２のコンデンサに充電された電荷を放電できる。
【発明を実施するための最良の形態】
【００１５】
第１の実施の形態．
図１は、第１の実施の形態にかかるコンバータ用放電回路の一例を用いた電源システムの概念的な構成を示す。電源システムは、交流電源Ｅ１と、コンバータ１０と、放電回路１と、負荷４とを備えている。
【００１６】
交流電源Ｅ１は例えば商用電源である。
【００１７】
コンバータ１０は、入力線ＡＣＬ１，ＡＣＬ２と、出力線ＤＣＬ１，ＤＣＬ２と、ダイオードＤ１〜Ｄ４と、平滑コンデンサＣ２，Ｃ３と、リアクトルＬ１とを備えている。
【００１８】
入力線ＡＣＬ１，ＡＣＬ２は交流電源Ｅ１に接続されている。
【００１９】
ダイオードＤ１は、アノードが入力線ＡＣＬ１に、カソードが出力線ＤＣＬ１にそれぞれ接続されている。ダイオードＤ２は、アノードが出力線ＤＣＬ２に、カソードが入力線ＡＣＬ１にそれぞれ接続されている。
【００２０】
平滑コンデンサＣ２は一端が出力線ＤＣＬ１に他端が入力線ＡＣＬ２にそれぞれ接続されている。平滑コンデンサＣ３は一端が入力線ＡＣＬ２に他端が出力線ＤＣＬ２にそれぞれ接続されている。平滑コンデンサＣ２，Ｃ３は出力線ＤＣＬ１，ＤＣＬ２の間で相互に直列に接続されている。
【００２１】
ダイオードＤ１，Ｄ２及び平滑コンデンサＣ２，Ｃ３は、入力線ＡＣＬ１，ＡＣＬ２の間に印加された交流電圧を倍電圧全波整流して出力線ＤＣＬ１，ＤＣＬ２の間に出力する。
【００２２】
負荷４は出力線ＤＣＬ１，ＤＣＬ２と接続されて、出力線ＤＣＬ１，ＤＣＬ２の間の電圧（平滑コンデンサＣ２，Ｃ３の一組の両端電圧）が供給される。
【００２３】
ダイオードＤ３は、アノードが平滑コンデンサＣ２，Ｃ３の間に、カソードが出力線ＤＣＬ１にそれぞれ接続されている。ダイオードＤ３は平滑コンデンサＣ２に逆電圧が印加されることを防ぐ。ダイオードＤ４は、アノードが出力線ＤＣＬ２に、カソードが平滑コンデンサＣ２，Ｃ３の間にそれぞれ接続されている。ダイオードＤ４は平滑コンデンサＣ３に逆電圧が印加されることを防ぐ。
【００２４】
リアクトルＬ１は入力線ＡＣＬ１上に設けられている。
【００２５】
放電回路１は、分圧抵抗Ｒ１と、放電抵抗Ｒ４と、コンデンサＣ１と、スイッチ素子ＳＷ１と、スイッチ制御回路１１とを備えている。
【００２６】
放電抵抗Ｒ４とスイッチ素子ＳＷ１とは、出力線ＤＣＬ１，ＤＣＬ２の間で相互に直列に接続されている。スイッチ素子ＳＷ１は例えば、ＭＯＳＦＥＴ（金属酸化型電界効果トランジスタ）であって、ドレイン電極が放電抵抗Ｒ４に、ソース電極が出力線ＤＣＬ２に、ゲート電極がスイッチ制御回路１１にそれぞれ接続されている。放電抵抗Ｒ４、スイッチ素子ＳＷ１には、後述するように、平滑コンデンサＣ２，Ｃ３からの大きな放電電流が流れる。
【００２７】
分圧抵抗Ｒ１と、コンデンサＣ１とは、入力線ＡＣＬ１と出力線ＤＣＬ２との間で相互に直列に接続されている。
【００２８】
スイッチ制御回路１１は、コンデンサＣ１の両端電圧が所定値を下回ったことを以って、スイッチ素子ＳＷ１のゲート電極へとスイッチ信号を出力して、スイッチ素子ＳＷ１を導通させる。より具体的な一例として、スイッチ制御回路１１は、分圧抵抗Ｒ２，Ｒ３，Ｒ５，Ｒ６と、スイッチ素子ＳＷ２を備えている。
【００２９】
分圧抵抗Ｒ２，Ｒ３は相互に直列に接続され、分圧抵抗Ｒ２，Ｒ３の一組がコンデンサＣ１と並列に接続されている。
【００３０】
分圧抵抗Ｒ５，Ｒ６は相互に直列に接続され、分圧抵抗Ｒ５，Ｒ６の一組が放電抵抗Ｒ４及びスイッチ素子ＳＷ１の一組と並列に接続されている。
【００３１】
スイッチ素子ＳＷ２は例えばバイポーラトランジスタであって、ベース電極が分圧抵抗Ｒ２，Ｒ３の間に、エミッタ電極が出力線ＤＣＬ２に、コレクタ電極が分圧抵抗Ｒ５，Ｒ６の間を介してスイッチ素子ＳＷ１のゲート電極にそれぞれ接続されている。
【００３２】
このような放電回路１において、コンデンサＣ１は分圧抵抗Ｒ１を介して充電される。分圧抵抗Ｒ３の両端電圧はスイッチ素子ＳＷ２のベース−エミッタ間の電圧と等しい。そして、通常動作においては、スイッチ素子ＳＷ２のベースに、出力線ＤＣＬ１から分圧抵抗Ｒ５を介して流れるコレクタ電流を十分に流すことの出来るベース電流が流れており、スイッチ素子ＳＷ２が導通状態となっている。
【００３３】
当該スイッチ素子ＳＷ２の導通によって、出力線ＤＣＬ１から分圧抵抗Ｒ５、スイッチ素子ＳＷ２へと電流が流れるので、分圧抵抗Ｒ６にはほとんど電流が流れず、分圧抵抗Ｒ６の両端電圧はほぼ０である。分圧抵抗Ｒ６の両端電圧はスイッチ素子ＳＷ１のゲート−ソース電極間の電圧と等しい。よって、このとき、スイッチ素子ＳＷ１は非導通となる。
【００３４】
そして、例えば停電やブレーカが落ちる、つまり交流電源Ｅ１が開放されて交流電源Ｅ１からの電源供給が遮断された場合、コンデンサＣ１に充電された電圧が分圧抵抗Ｒ２，Ｒ３を介して放電する。当該コンデンサＣ１の両端電圧の低下に伴い、スイッチ素子ＳＷ２のベース電流が低下し、出力線ＤＣＬ１から分圧抵抗Ｒ５を介して流れるコレクタ電流を十分に流すことが出来なくなったときにスイッチ素子ＳＷ２が非導通となる。
【００３５】
当該スイッチ素子ＳＷ２の非導通に伴い、出力線ＤＣＬ１から分圧抵抗Ｒ５，Ｒ６へと電流が流れる。このとき、分圧抵抗Ｒ６の両端電圧がスイッチ素子ＳＷ１のＯＮ電圧を越え、スイッチ素子ＳＷ１が導通する。当該スイッチ素子ＳＷ１の導通に伴い、平滑コンデンサＣ２，Ｃ３が放電抵抗Ｒ４を介して放電する。
【００３６】
上述した内容は、スイッチ制御回路１１が、コンデンサＣ１の両端電圧が所定値を下回ったことを以ってスイッチ素子ＳＷ１を導通させる、と把握できる。
【００３７】
このような電源システムにおいて、コンデンサＣ１が分圧抵抗Ｒ２，Ｒ３を介して放電するに際して、平滑コンデンサＣ２とコンデンサＣ１との間にはダイオードＤ１が介在しているので、平滑コンデンサＣ２からコンデンサＣ１へと電流が流れることを防止できる。
【００３８】
また、平滑コンデンサＣ３とコンデンサＣ１との間には、開放された状態の交流電源Ｅ１が介在しているので、平滑コンデンサＣ３からコンデンサＣ１へと電流が流れない。よって、例えば停電やブレーカ断によって交流電源Ｅ１が開放された状態になり、交流電源Ｅ１からの電源供給が遮断された場合に、平滑コンデンサからコンデンサＣ１へと流れる電流を防止して速やかにコンデンサＣ１を放電させることができる。
【００３９】
図２は、本電源システムとの比較を示すための、倍電圧整流回路に放電回路を組み合わせた電源システムの他の一例を示している。図１に示す電源システムと比較して、入力線ＡＣＬ１が平滑コンデンサＣ１，Ｃ２の間に、入力線ＡＣＬ２がダイオードＤ１，Ｄ２の間に接続されている点で相違している。
【００４０】
このような電源システムにおいて、通常動作においては、ダイオードＤ１，Ｄ２によって倍電圧全波整流された直流電圧が平滑コンデンサＣ１，Ｃ２に充電される。そして、例えば停電やブレーカ断など、つまり交流電源Ｅ１が開放されて交流電源Ｅ１からの電源供給が遮断された場合、平滑コンデンサＣ３からリアクトルＬ１、分圧抵抗Ｒ１を介してコンデンサＣ１へと電流が流れる。つまり、コンデンサＣ１の放電を阻害するため、コンデンサＣ１の放電時間が長くなる。
【００４１】
図１に示す電源システムでは、交流電源Ｅ１が開放状態となって電源供給が遮断された場合、平滑コンデンサＣ２，Ｃ３からコンデンサＣ１へと電流が流れることを防止できる。よって、コンデンサＣ１の両端電圧が速やかに低下させることができ、以ってスイッチ素子ＳＷ１が導通し始めるタイミングを早めることができる。言い換えると、電源供給が遮断してから、平滑コンデンサＣ２，Ｃ３が放電抵抗Ｒ４を介して放電し始めるまでの期間を短縮できる。
【００４２】
第２の実施の形態．
図３は、第２の実施の形態にかかる放電回路の一例を用いた電源システムの概念的な構成を示している。本電源システムは、第１の実施の形態で示された構成に対して、スイッチ素子ＳＷ３と、マイコン用電源制御回路３と、制御マイコン２とを更に備えている。また、交流電源として、交流電源Ｅ１と、トランスＴ１とを有する絶縁電源Ｅ２を用いている。
【００４３】
トランスＴ１は一次巻線Ｌ１１と、二次巻線Ｌ１２とを備えている。一次巻線Ｌ１１は交流電源Ｅ１と接続されている。二次巻線Ｌ１２は入力線ＡＣＬ１，ＡＣＬ２と接続されている。二次巻線Ｌ１２は一次巻線Ｌ１１と磁気的に結合しており、一次巻線Ｌ１１に印加される交流電圧の電圧値を変換して入力線ＡＣＬ１，ＡＣＬ２の間に印加する。
【００４４】
スイッチ素子ＳＷ３は、例えばリレーであって、入力線ＡＣＬ１上のうちコンデンサＣ１に対してコンバータ１０とは反対側に設けられている。スイッチ素子ＳＷ３はａ接点（ノーマルオープン）のリレーであることが望ましい。具体的な一例として、スイッチ素子ＳＷ３は励磁コイルを有するリレーであって、当該励磁コイルへと通電されたときに導通状態となり、当該励磁コイルへと通電されないときに非導通状態となる。
【００４５】
マイコン用電源制御回路３は、例えばスイッチング電源回路３１と、ダイオードＤ５と、コンデンサＣ４と、レギュレータ３２とを備えている。
【００４６】
スイッチング電源回路３１は、出力線ＤＣＬ１，ＤＣＬ２の間の直流電圧を交流電圧に変換して、当該交流電圧の電圧値を変換して出力する。
【００４７】
ダイオードＤ５は、スイッチング電源回路３１の出力の一端に設けられ、スイッチング電源回路３１の出力を整流する。
【００４８】
コンデンサＣ４はダイオードＤ５に対してスイッチング電源回路３１とは反対側でスイッチング電源回路３１の出力線の間に設けられ、ダイオードＤ５によって整流された直流電圧を平滑する。
【００４９】
レギュレータ３２はコンデンサＣ４の両端電圧を例えば平滑、安定化して制御マイコン２へと供給する。
【００５０】
制御マイコン２は、マイコン用電源制御回路３を介して、出力線ＤＣＬ１，ＤＣＬ２の間の電圧を動作電圧として受け取り、スイッチ素子ＳＷ３の導通／非導通を制御する。また、電源供給が遮断された場合に、出力線ＤＣＬ１，ＤＣＬ２の間の電圧が、スイッチング電源回路３１の動作電圧を下回ると、制御マイコン２は動作を停止する。
【００５１】
このような電源システムにおいて、例えば停電やブレーカ断など、つまり交流電源Ｅ１が開放されて絶縁電源Ｅ２から電源供給が遮断された場合について説明する。この場合、平滑コンデンサＣ３から二次巻線Ｌ１２、スイッチ素子ＳＷ３、分圧抵抗Ｒ１を介してコンデンサＣ１へと電流が流れる。従って、電源供給が遮断された初期的にはコンデンサＣ１の放電が阻害される。
【００５２】
スイッチング電源回路３１およびそれにつながる制御マイコン２等の負荷により、出力線ＤＣＬ１，ＤＣＬ２の間の電圧は低下する。そして、出力線ＤＣＬ１，ＤＣＬ２の間の電圧がスイッチング電源回路３１の動作電圧を下回ると、十分な動作電圧が供給されずに制御マイコン２が動作を停止する。スイッチ素子ＳＷ３は、制御マイコン２から供給される励磁電流によって導通するため、制御マイコン２の動作停止によってスイッチ素子ＳＷ３は非導通となる。
【００５３】
なお、本電源システムの通常動作において、分圧抵抗Ｒ１〜Ｒ３には常時電流が流れる。分圧抵抗Ｒ１〜Ｒ３で生じる電力損失を抑制するために、これらの抵抗値を大きくして、分圧抵抗Ｒ１〜Ｒ３に流れる電流を小さくしている。つまり、電源供給が遮断された場合に、スイッチング電源回路３１、ひいては制御マイコン２へと供給される電流は、コンデンサＣ１から例えば分圧抵抗Ｒ２，Ｒ３に流れる電流に比べて大きい。また、スイッチＳＷ１を導通させる基準となる所定値に比べて、制御回路動作電圧は大きい。よって、コンデンサＣ１の両端電圧が、スイッチ素子ＳＷ１を導通させる際の基準となる所定値を下回る前に、出力線ＤＣＬ１，ＤＣＬ２の間の電圧が低下して制御マイコン２が動作を停止させることができる。
【００５４】
スイッチ素子ＳＷ３の非導通によって、平滑コンデンサＣ３からコンデンサＣ１へと電流が流れることを防止できる。従って、スイッチ素子ＳＷ３が非導通となった以降は、コンデンサＣ１の両端電圧の低下を促進できる。よって、第１の実施の形態と同様に、平滑コンデンサＣ２，Ｃ３の放電時間を短縮できる。しかも制御マイコン２は電源供給の遮断を検知する必要がない。
【００５５】
以上のように、制御マイコン２が認識できないような意図せぬ電源供給の遮断が生じた場合であっても、平滑コンデンサＣ２，Ｃ３の放電時間を短縮できる。
【００５６】
なお、スイッチＳＷ１を導通させる基準となる所定値に比べて、制御回路動作電圧は大きい場合の動作説明を行なったが、制御回路動作電圧が小さい場合でも、スイッチング電源回路３１により平滑コンデンサＣ３およびコンデンサＣ１の電圧低下を促進できるので、平滑コンデンサＣ２，Ｃ３の放電時間を短縮できる。
またスイッチング電源回路３１の破損により、スイッチング電源回路３１による消費がなくなったとしても、制御マイコン２への電源供給もなくなるので、スイッチ素子ＳＷ３の励磁コイルへの通電もできなくなり、平滑コンデンサＣ２，Ｃ３の放電時間を短縮できる。
【００５７】
なお、スイッチ素子ＳＷ３は入力線ＡＣＬ１上のうちコンデンサＣ１に対してコンバータ１０と反対側に設けられていたが、入力線ＡＣＬ２上に設けられていてもよい。この場合であっても、スイッチ素子ＳＷ３の非導通によって、平滑コンデンサＣ３からコンデンサＣ１へと電流が流れることを防止できる。
【００５８】
なお、例えば負荷４の異常や出力線ＤＣＬ１，ＤＣＬ２間の過電圧を検知する検知部を設け、制御マイコン２が当該検知部から異常情報を受け取って、当該異常情報に基づいて、スイッチ素子３を非導通としてもよい。当該スイッチ素子ＳＷ３の非導通によって、異常が生じたときに絶縁電源Ｅ２からの電源供給を遮断して電源システムを保護できる。
【００５９】
なお、本第２の実施の形態においても、絶縁電源Ｅ２の替わりに交流電源Ｅ１を用いてもよい。
【００６０】
またスイッチ素子ＳＷ１はＭＯＳＦＥＴに限らず、例えばバイポーラトランジスタ等であってもよい。図４はスイッチ素子ＳＷ１にバイポーラトランジスタを用いた場合の電源システムの概念的な構成を示している。
【００６１】
なお、図３に示した電源システムにおいて制御マイコン２へと電源をどのように投入するのかは種々の方法を採用できる。この点は本発明の本質とは異なるので、図３においては省略していたが、例えば以下のように制御マイコン２へと電源を投入することができる。
【００６２】
図５は、図３における電源システムにおいて、初期的に制御マイコン２に電源を供給する方法を説明するための図である。図５においては、本電源システムが室外機２００に搭載されている。室外機２００は室内機１００と電源線３０１，３０２と、伝送線３０３によって相互に接続されている。室内機１００は交流電源Ｅ１から交流電源が供給され、通常運転に際して当該交流電源が電源線３０１，３０２を介して室外機２００へと供給される。
【００６３】
室外機２００において、スイッチ素子２０１は、入力線ＡＣＬ１と伝送線３００との間に介在し、制御マイコン２によって導通／非導通が制御される。スイッチ素子２０１は、ｂ接点（ノーマルクローズ）のリレーである。つまり、制御マイコン２に電源が供給されていない場合、スイッチ素子２０１は導通状態である。
【００６４】
このような空気調和機において、室外機２００へと電源が供給されていない場合は、スイッチ素子ＳＷ３は非導通であり、スイッチ素子２０１は導通している。そして、室外機２００へと電源を供給するに際して、室内機１００において、制御マイコン１０１が、電源線３０１と、伝送線３０３との間に介在するスイッチ素子１０２を導通させる。これにより、図５中の太線で示したラインを介して、制御マイコン２へと電源を供給することができる。そして、制御マイコン２がスイッチ素子ＳＷ３を導通させ、かつスイッチ素子２０１を非導通とする。
【図面の簡単な説明】
【００６５】
【図１】第１の実施の形態に係る電源システムの概念的な一例を示す図である。
【図２】第１の実施の形態に係る電源システムと比較するための電源システムの一例を示す図である。
【図３】第２の実施の形態に係る電源システムの概念的な一例を示す図である。
【図４】第３の実施の形態に係る電源システムの概念的な一例を示す図である。
【図５】初期的に制御マイコンに電源を供給する方法を説明するための図である。
【符号の説明】
【００６６】
１  放電回路
２  制御マイコン
１１  スイッチ制御回路
１０  コンバータ
Ｃ１  コンデンサ
Ｃ２，Ｃ３  平滑コンデンサ
Ｄ１〜Ｄ４  ダイオード
Ｒ４  放電抵抗
ＳＷ１，ＳＷ３  スイッチ素子
【図１】
0004821769.tif 000002
【図２】
0004821769.tif 000003
【図３】
0004821769.tif 000004
【図４】
0004821769.tif 000005
【図５】
0004821769.tif 000006